(57)【要約】【課題】操作性の向上を図ると共に操作位置によって良好な操作感が変わることのないハンドル装置を提供する。【解決手段】本発明は、扉２の壁面２ａに固定される第１台座３と、第１台座３から所定間隔を空けて壁面２ａに固定される第２台座４と、第１台座３と第２台座４とを連結するグリップ５と、グリップ５に対して近接離間する方向に平行移動可能に設けられるハンドルレバー６と、第１台座３と第２台座４の少なくともいずれか一方の台座に設けられ、ハンドルレバー６の平行移動に伴って回動するラッチバー７と、グリップ５とハンドルレバー６とをリンク機構３５を介して連結し、ハンドルレバー６の平行移動に伴って揺動するシンクロバー３４と、ハンドルレバー６をグリップ５から離間する方向へ付勢する付勢部材３９ａ〜３９ｃと、を備えていることを特徴とする。【選択図】図４
2017115506.tif 000002
【特許請求の範囲】
【請求項１】
ラッチ錠を有する扉の壁面に取り付けられるハンドル装置であって、
前記扉の壁面に固定される第１台座と、
該第１台座から所定間隔を空けて前記壁面に固定される第２台座と、
一端部が前記第１台座に固定され、他端部が前記第２台座に固定され、該第１台座と該第２台座とを連結するグリップと、
該グリップに対して近接離間する方向に平行移動可能に設けられるハンドルレバーと、
前記第１台座と前記第２台座の少なくともいずれか一方の台座に設けられ、前記ハンドルレバーの平行移動に伴って回動するラッチバーと、
前記グリップと前記ハンドルレバーとをリンク機構を介して連結し、前記ハンドルレバーの平行移動に伴って揺動するシンクロバーと、
前記ハンドルレバーを前記グリップから離間する方向へ付勢する付勢部材と、
を備えていることを特徴とするハンドル装置。
【請求項２】
前記リンク機構は、
一端部が前記グリップ側に枢支されると共に他端部が前記シンクロバー側に枢支されるグリップ側リンクレバーと、一端部が前記ハンドルレバー側に枢支されると共に他端部が前記グリップ側リンクレバーと同軸上で前記シンクロバー側に枢支されるハンドルレバー側リンクレバーと、から成るリンクレバー対を備え、該リンクレバー対は、均等間隔で複数設けられていることを特徴とする請求項１に記載のハンドル装置。
【請求項３】
前記グリップは細長に形成され、前記ハンドルレバーは前記グリップの前記扉側の面に沿って細長に形成され、前記シンクロバーは前記ブリップと前記ハンドルレバーとにより囲まれた空間において細長に形成され、前記リンクレバー対は、前記シンクロバーの前記第１台座側端部と前記第２台座側端部に配置されていると共に、該両端部の間において均等間隔で配置されていることを特徴とする請求項２に記載のハンドル装置。
【請求項４】
前記第１台座と前記第２台座は上下に離間して配置され、前記ハンドルレバーは上下方向に延びるように形成され、前記リンクレバー対は、前記シンクロバーの上端部と中央部と下端部の３箇所に均等間隔で配置されていることを特徴とする請求項３に記載のハンドル装置。
【発明の詳細な説明】
【技術分野】
【０００１】
本発明は、ラッチ錠によって閉止状態を保持する扉の壁面に取り付けられるハンドル装置に関する。
【背景技術】
【０００２】
従来、扉の閉止状態（仮締まり状態）を保持するための錠構造として、所謂「ラッチ錠」が周知である。このラッチ錠は、扉から突出させたラッチボルト等のラッチを、扉枠等に設けられたストライクに係合させることで、扉の閉止状態を保持するものである。
【０００３】
従来のラッチ錠としては、扉の壁面に固定されるハンドルと、ハンドルに対して上端部を支点として回転可能に支持されるレバーと、扉の木口に対して進退可能なラッチボルトと、を備えたものが知られている（例えば、特許文献１参照）。この種のラッチ錠では、レバーが押圧又は牽引操作されていないと、扉の木口からのラッチボルトの退避が規制されることで扉の閉止状態が保持される一方、レバーが押圧又は牽引操作されると、扉の木口からのラッチボルトの退避が可能となることで扉を開放できるようになっている。
【先行技術文献】
【特許文献】
【０００４】
【特許文献１】特開２０１３−１８９８４３号公報
【発明の概要】
【発明が解決しようとする課題】
【０００５】
しかしながら、上記した従来のラッチ錠では、レバーが、ハンドルの上端部を支点として回転可能に支持されていると共にハンドルの上端部から中央に亘る部分に配設されている。そのため、扉を開放させる場合、レバーの下端部分を把持して押圧又は牽引操作する必要があり、ハンドルのレバーの操作性を向上させることが難しいという問題がある。
【０００６】
本発明は、上記した課題を解決すべくなされたものであり、操作性の向上を図ることができると共に、操作位置によって良好な操作感が変わることのないハンドル装置を提供することを目的とする。
【課題を解決するための手段】
【０００７】
上記した目的を達成するため、本発明は、ラッチ錠を有する扉の壁面に取り付けられるハンドル装置であって、前記扉の壁面に固定される第１台座と、該第１台座から所定間隔を空けて前記壁面に固定される第２台座と、一端部が前記第１台座に固定され、他端部が前記第２台座に固定され、該第１台座と該第２台座とを連結するグリップと、該グリップに対して近接離間する方向に平行移動可能に設けられるハンドルレバーと、前記第１台座と前記第２台座の少なくともいずれか一方の台座に設けられ、前記ハンドルレバーの平行移動に伴って回動するラッチバーと、前記グリップと前記ハンドルレバーとをリンク機構を介して連結し、前記ハンドルレバーの平行移動に伴って揺動するシンクロバーと、前記ハンドルレバーを前記グリップから離間する方向へ付勢する付勢部材と、を備えていることを特徴とする。
【０００８】
このような特徴を備えることにより、ハンドルレバーのどの部分を操作してもラッチ錠を確実に解錠させることができるため、操作性の向上を図ると共に操作の信頼性を高めることができる。
【０００９】
また、上記した本発明に係るハンドル装置において、前記リンク機構は、一端部が前記グリップ側に枢支されると共に他端部が前記シンクロバー側に枢支されるグリップ側リンクレバーと、一端部が前記ハンドルレバー側に枢支されると共に他端部が前記グリップ側リンクレバーと同軸上で前記シンクロバー側に枢支されるハンドルレバー側リンクレバーと、から成るリンクレバー対を備え、該リンクレバー対は、均等間隔で複数設けられていることを特徴とする。
【００１０】
さらに、上記した本発明に係るハンドル装置において、前記グリップは細長に形成され、前記ハンドルレバーは前記グリップの前記扉側の面に沿って細長に形成され、前記シンクロバーは前記ブリップと前記ハンドルレバーとにより囲まれた空間において細長に形成され、前記リンクレバー対は、前記シンクロバーの前記第１台座側端部と前記第２台座側端部に配置されていると共に、該両端部の間において均等間隔で配置されることを特徴とする。
【００１１】
さらにまた、本発明に係るハンドル装置において、前記第１台座と前記第２台座は上下に離間して配置され、前記ハンドルレバーは上下方向に延びるように形成され、前記リンクレバー対は、前記シンクロバーの上端部と中央部と下端部の３箇所に均等間隔で配置されてることを特徴とする。
【００１２】
このように複数のリンクレバー対を均等間隔で設けることにより、ハンドルレバーに対する操作位置によって良好な操作感が変わることがなく、操作性の向上をより一層図ることができる
【発明の効果】
【００１３】
本発明によれば、ハンドルレバーに対する操作位置によって良好な操作感が変わることがなく、操作性の向上を図ることができる等、種々の優れた効果を得ることができる。
【図面の簡単な説明】
【００１４】
【図１】本発明の実施の形態に係るハンドル装置を示す側面図である。
【図２】本発明の実施の形態に係るハンドル装置を示す平面図である。
【図３】図１のＡ−Ａ断面図である。
【図４】本発明の実施の形態に係るハンドル装置を示す断面図である。
【図５】本発明の実施の形態に係るハンドル装置の主要部を示す側面図である。
【図６】本発明の実施の形態に係るハンドル装置の主要部を示す平面図である。
【図７】本発明の実施の形態に係るハンドル装置のハンドラッチを示す背面図である。
【図８】本発明の実施の形態に係るハンドル装置のリンク機構を示す詳細図である。
【図９】本発明の実施の形態に係るハンドル装置の解錠操作時の状態を示す断面図である。
【図１０】本発明の実施の形態に係るハンドル装置の主要部の解錠操作時の状態を示す側面図である。
【図１１】本発明の実施の形態に係るハンドル装置の主要部の解錠操作時の状態を示す平面図である。
【発明を実施するための形態】
【００１５】
以下、図面を参照しつつ、本発明の実施の形態に係るハンドル装置について説明する。まず、図１〜図８を参照しながら、本発明の実施の形態に係るハンドル装置１の構成について説明する。ここで、図１は本発明の実施の形態に係るハンドル装置１を示す側面図、図２は本発明の実施の形態に係るハンドル装置１を示す平面図、図３は図１のＡ−Ａ断面図、図４は本発明の実施の形態に係るハンドル装置１を示す断面図、図５は本発明の実施の形態に係るハンドル装置１の主要部を示す側面図、図６は本発明の実施の形態に係るハンドル装置１の主要部を示す平面図、図７は本発明の実施の形態に係るハンドル装置１のハンドラッチ１９を示す背面図、図８は本発明の実施の形態に係るハンドル装置１のリンク機構３５を示す詳細図である。
【００１６】
本発明の実施の形態に係るハンドル装置１は、扉２の壁面２ａに固定される上側の第１台座３と、第１台座３から下方に所定間隔を空けて壁面２ａに固定される下側の第２台座４と、第１台座３と第２台座４とを連結するグリップ５と、グリップ５の扉２側の面に沿って設けられるハンドルレバー６と、を備えており、ハンドルレバー６はグリップ５に対して近接離間する方向に平行移動可能に設けられている。
【００１７】
第１台座３には、ラッチバー７が枢軸８を支点に回動可能に設けられている。ラッチバー７は、上下方向に延出して上端部が枢軸８に支持される内設部９と、内設部９と略直角を成すように扉２側に延出する突起部１０と、を備えている。内設部９の下端部は下方に突出し、該突出部分にピン１１が突設されている。突起部１０の先端部は、第１台座３から突出し、扉２の木口に対してラッチボルト（図示省略）を進退させる作動片４０に係合可能となっている。
【００１８】
グリップ５は、図２に良く示されているように、上下方向に細長い板状を成しており、中央部から上下両端部に掛けて徐々に幅広となるように左右両側面が僅かに湾曲して形成されている。図１及び図４に示されているように、グリップ５の上端部は第１台座３に固定され、グリップ５の下端部は第２台座４に固定されている。これにより、第１台座３と第２台座４の間には、グリップ５の中間部分５ａと扉２の壁面２ａとの間に操作空間１２が形成されている。
【００１９】
図３に示されているように、グリップ５の内面には、中央部分に収容凹部１３が上下方向に細長く形成され、収容凹部１３の周囲に周溝１４が形成されている。収容凹部１３には、リンクベース１５が嵌設され、リンクベース１５は図３の断面視でコの字状に屈曲形成されている。リンクベース１５の左右側壁１６には、上下に均等間隔且つ左右に交互に３個のリンクベース側軸部１７ａ，１７ｂ，１７ｃが左右方向に貫設されている。また、リンクベース１５の左右側壁１６には、上下方向に沿って左右交互に３個の切欠部１８ａ，１８ｂ，１８ｃが形成されている。
【００２０】
ハンドルレバー６は、グリップ５の中間部分５ａに沿って設けられるハンドラッチ１９と、ハンドラッチ１９の内面に固定されるステー２０と、を備えている。図７に良く示されているように、ハンドラッチ１９は、上下方向に細長く形成される板状部２１と、板状部２１の上下左右の外周縁からグリップ５側に延設される外周側部２２と、により構成されている。ハンドラッチ１９は、操作空間１２を臨むように上下方向全体に亘って形成されている。外周縁部２２は、グリップ５の周溝１４に対応した位置に形成され、グリップ５の中間部分５ａとハンドラッチ１９とにより上下方向に細長い内部空間２３が形成されている。
【００２１】
図７に示されているように、板状部２１の上端部と下端部には、それぞれ、円形状の小孔２４と、小孔２４を挟んで左右に一対で対向するように形成される上下に細長いスリット孔２５と、が形成されている。板状部２１の内面には上端部から下端部まで上下方向に凹部２６が形成されている。凹部２６の左右縁部には、上下に均等間隔且つ左右に交互に３個のハンドラッチ側軸受部２７ａ，２７ｂ，２７ｃが内方に突設されており、ハンドラッチ側軸受部２７ａ，２７ｂ，２７ｃはリンクベース側軸部１７ａ，１７ｂ，１７ｃに対応した位置に配置されている。また、凹部２６の左右縁部には、上下方向に沿って左右交互に３個の半円形状のバネ溝２８ａ，２８ｂ，２８ｃが形成されており、バネ溝２８ａ，２８ｂ，２８ｃはリンクベース１５の切欠部１８ａ，１８ｂ，１８ｃに対応した位置に配置されている。
【００２２】
ステー２０は、上下に細長い形状を有して凹部２６に嵌合する平板部２９と、平板部２９の上端部及び下端部において左右のスリット孔２５を貫通して扉２側に延出する左右一対のスライダー部３０，３１と、により構成されている。上下のスライダー部３０，３１は、それぞれ、第１台座３に形成される横溝３２と第２台座４に形成される横溝３３に沿って左右方向にスライド可能に設けられている。また、上側のスライダー部３０には、先端部に縦長の長穴３２が形成され、この長穴３２にラッチバー７のピン１１が遊嵌している。
【００２３】
グリップ５の中間部分５ａとハンドラッチ１９とにより囲まれた内部空間２３にはシンクロバー３４が配設され、シンクロバー３４はグリップ５とハンドルレバー６とをリンク機構３５を介して連結している。シンクロバー３４は、上下方向に細長い板状を成し、リンクベース１５の左右側壁１６の間において該左右側壁１６と平行を成すように配置されている。シンクロバー３４には、上下に均等間隔で３個のシンクロバー側軸部３６ａ，３６ｂ，３６ｃが左右方向に貫設されている。
【００２４】
リンク機構３５は、シンクロバー３４を挟んで左右一対に配設される３個のリンクレバー対３７ａ，３８ａ、３７ｂ，３８ｂ、３７ｃ，３８ｃが上下に均等間隔で配置されて構成されている。最も上側のリンクレバー対３７ａ，３８ａの上部は上側のシンクロバー側軸部３６ａに枢支され、左側のリンクレバー３７ａの下部は上側のリンクベース側軸部１７ａに枢支され、右側のリンクレバー３８ａの下部は上側のハンドラッチ側軸受部２７ａに枢支されている。中央のリンクレバー対３７ｂ，３８ｂの上部は中央のシンクロバー側軸部３６ｂに枢支され、左側のリンクレバー３７ｂの下部は上側のリンクベース側軸部１７ｂに枢支され、右側のリンクレバー３８ｂの下部は中央のハンドラッチ側軸受部２７ｂに枢支されている。最も下側のリンクレバー対３７ｃ，３８ｃ上部は下側のシンクロバー側軸部３６ｃに枢支され、左側のリンクレバー３７ｃの下部は下側のリンクベース側軸部１７ｃに枢支され、右側のリンクレバー３８ｃの下部は下側のハンドラッチ側軸受部２７ｃに枢支されている。このようにリンク機構３５を構成することにより、ハンドルレバー６はグリップ５に対して近接離間する方向に平行移動可能なように設けられ、シンクロバー３４はハンドルレバー６の平行移動に伴って揺動可能なように設けられる。
【００２５】
なお、リンク機構３５は、上記した構成に限定されるものではなく、リンクレバー対３７ａ，３８ａ、３７ｂ，３８ｂ、３７ｃ，３８ｃの設置数、配置及び配置間隔も適宜変更が可能である。
【００２６】
また、リンクベース１５の各切欠部１８ａ，１８ｂ，１８ｃ及びハンドラッチ１９の各バネ溝２８ａ，２８ｂ，２８ｃには、それぞれ、戻しバネ３９ａ，３９ｂ，３９ｃが配設されており、これらの戻しバネ３９ａ，３９ｂ，３９ｃはハンドルレバー１６をグリップ５から離間する方向へ付勢している。
【００２７】
次に、図１〜図８に加えて図９〜図１１を参照しながら、上記した構成を備えた本発明の実施の形態に係るハンドル装置１の作用について説明する。ここで、図９は本発明の実施の形態に係るハンドル装置１の解錠操作時の状態を示す断面図、図１０は本発明の実施の形態に係るハンドル装置１の主要部の解錠操作時の状態を示す側面図、図１１は本発明の実施の形態に係るハンドル装置１の主要部の解錠操作時の状態を示す平面図である。
【００２８】
上記した構成を備えたハンドル装置１において、扉２が閉止されている時、ハンドルレバー６（ハンドラッチ１９及びステー２０）は、図４及び図５に良く示されているように、戻しバネ３９ａ，３９ｂ，３９ｃの付勢力によって、グリップ５から離間する方向（図４及び図５中の右方）に付勢され、ラッチバー７は突起部１０を水平姿勢に保持した状態で作動片４０に係合している。これにより、扉２の木口からの前記ラッチボルトの退避が規制される。
【００２９】
この状態から、扉２を開放するためにハンドルレバー６のハンドラッチ１９を把持してグリップ５に近接する方向に牽引操作すると、図９及び図１０に良く示されているように、ハンドルレバー６は、戻しバネ３９ａ，３９ｂ，３９ｃの付勢力に抗して、図９及び図１０中の左方に平行移動する。このハンドルレバー６の平行移動に伴って、上下のスライダー部３０，３１が第１台座３の横溝３２及び第２台座４の横溝３３に沿ってそれぞれ左方にスライドし、長穴３２の周縁部にピン１１が当接することで、ラッチバー７は枢軸８を支点に図９及び図１０中の時計回り方向に回動する。これにより、ラッチバー７の突起部１０が作動片４０を押し下げることで、前記ラッチボルトは扉２の木口から退避可能な状態となる。
【００３０】
このようにハンドルレバー６を牽引操作する際、３個のリンクレバー対３７ａ，３８ａ、３７ｂ，３８ｂ、３７ｃ，３８ｃがそれぞれシンクロバー側軸部３６ａ，３６ｂ，３６ｃを支点に回動し、シンクロバー３４が揺動するため、ハンドルレバー６のどの部分を把持して牽引操作しても、操作感が変わることがない。また、ハンドルレバー６のどの部分を操作してもラッチ錠を確実に解錠させることができるため、操作性の向上を図ると共に操作の信頼性を高めることができる。
【００３１】
なお、上記した本発明の各実施の形態の説明は、本発明に係るハンドル装置１における好適な実施の形態を説明しているため、技術的に好ましい種々の限定を付している場合もあるが、本発明の技術範囲は、特に本発明を限定する記載がない限り、これらの態様に限定されるものではない。すなわち、上記した本発明の実施の形態における構成要素は適宜、既存の構成要素等との置き換えが可能であり、かつ、他の既存の構成要素との組合せを含む様々なバリエーションが可能であり、上記した本発明の実施の形態の記載をもって、特許請求の範囲に記載された発明の内容を限定するものではない。
【符号の説明】
【００３２】
１      ハンドル装置
２      扉
２ａ    壁面
３      第１台座
４      第２台座
５      グリップ
６      ハンドルレバー
７      ラッチバー
３４    シンクロバー
３５    リンク機構
３９ａ，３９ｂ，３９ｃ  戻しバネ（付勢部材）
３７ａ，３７ｂ，３７ｃ  リンクレバー（ハンドルレバー側リンクレバー）
３８ａ，３８ｂ，３８ｃ  リンクレバー（グリップ側リンクレバー）
【図１】
2017115506.tif 000003
【図２】
2017115506.tif 000004
【図３】
2017115506.tif 000005
【図４】
2017115506.tif 000006
【図５】
2017115506.tif 000007
【図６】
2017115506.tif 000008
【図７】
2017115506.tif 000009
【図８】
2017115506.tif 000010
【図９】
2017115506.tif 000011
【図１０】
2017115506.tif 000012
【図１１】
2017115506.tif 000013